(57)【要約】【課題】ネットワーク環境に接続された複数の映像機器で用いるデータの更新を迅速且つ的確に実行することが可能な映像機器を提供する。【解決手段】映像機器であるテレビジョン受信機１は、テレビジョン受信機１で用いるデータの送信及び受信を行う通信部６と、データを記憶する記憶部５と、記憶部５のデータの更新を行うことが可能な制御部４と、を備える。制御部４は、記憶部５が記憶するデータに対して、通信部６を介して放送局２００から受信したデータのバージョンが新しい場合には記憶部５のデータの更新を行い、放送局２００から受信したデータのバージョンが同じ若しくは古い場合には記憶部５のデータの更新を行うことなく、受信したデータを、自機を含む複数の映像機器が存在するネットワーク１１０に接続された他の映像機器１１１、１１２に通信部６を介して送信する。【選択図】図１
2015023385.tif 000002
【特許請求の範囲】
【請求項１】
自機を含む複数の映像機器で用いるデータの送信及び受信を行う通信部と、
前記データを記憶する記憶部と、
前記記憶部の前記データの更新を行うことが可能な制御部と、
を備え、
前記制御部は、前記記憶部が記憶する前記データに対して、前記通信部を介して外部機器から受信した前記データのバージョンが新しい場合には前記記憶部の前記データの更新を行い、前記外部機器から受信した前記データのバージョンが同じ若しくは古い場合には前記記憶部の前記データの更新を行うことなく、前記外部機器から受信した前記データを、自機を含む複数の映像機器が存在するネットワーク環境に接続された他の映像機器に前記通信部を介して送信することを特徴とする映像機器。
【請求項２】
前記制御部は、前記他の映像機器を起動させる信号を前記他の映像機器に送信した後、前記データを前記他の映像機器に送信することを特徴とする請求項１に記載の映像機器。
【請求項３】
前記制御部は、送信する前記データのバージョンより古いバージョンの前記データを記憶する前記他の映像機器を探索した後、発見した古いバージョンの前記データを記憶する前記他の映像機器に前記データを送信することを特徴とする請求項１または請求項２に記載の映像機器。
【発明の詳細な説明】
【技術分野】
【０００１】
本発明は映像機器に関する。
【背景技術】
【０００２】
テレビジョン受信機などの映像機器には、例えば機器のモード設定やファームウェア、番組情報、番組ロゴなどに係るデータの更新が可能なものがある。このようなデータの更新が可能な従来の映像機器が例えば特許文献１に開示されている。
【０００３】
特許文献１に記載された従来の映像機器は宅内にネットワーク環境に接続された既設の映像機器があるときに新たな映像機器を追加すると、新設の映像機器が既設の映像機器に設定済みの各種設定情報を、ネットワークを介して取り寄せるようにしている。これにより、新設の映像機器の設定に係るユーザーの煩雑さを解消し、ユーザーの使い勝手を向上させている。
【先行技術文献】
【特許文献】
【０００４】
【特許文献１】特開２００７−３２４９４１号公報
【発明の概要】
【発明が解決しようとする課題】
【０００５】
ここで、例えば映像機器で用いるデータは放送信号とともに発信する放送局やダウンロードサーバー、外部記憶媒体（ＵＳＢメモリ等）から取得することができる。
【０００６】
放送局からデータを取得する場合、例えばデータの配信時間が予め決まっていることが多く、その配信時間に映像機器がデータを取得できない動作状態にある可能性がある。また、放送局から発信される放送信号を用いたデータの取得はネットワークを介したデータの取得より長い時間を要するといった問題もある。
【０００７】
ダウンロードサーバーからデータを取得する場合、例えば遠方にあるダウンロードサーバーまでのネットワーク経路に障害が発生すると、データの取得が困難になる。外部記憶媒体からデータを取得する場合、例えば複数の映像機器に対してデータ更新しなければならないとき、更新作業に多くの手間がかかるといった問題がある。
【０００８】
本発明は、上記の点に鑑みなされたものであり、ネットワーク環境に接続された複数の映像機器で用いるデータの更新を迅速且つ的確に実行することが可能な映像機器を提供することを目的とする。
【課題を解決するための手段】
【０００９】
上記の課題を解決するため、本発明の映像機器は、自機を含む複数の映像機器で用いるデータの送信及び受信を行う通信部と、前記データを記憶する記憶部と、前記記憶部の前記データの更新を行うことが可能な制御部と、を備え、前記制御部は、前記記憶部が記憶する前記データに対して、前記通信部を介して外部機器から受信した前記データのバージョンが新しい場合には前記記憶部の前記データの更新を行い、前記外部機器から受信した前記データのバージョンが同じ若しくは古い場合には前記記憶部の前記データの更新を行うことなく、前記外部機器から受信した前記データを、自機を含む複数の映像機器が存在するネットワーク環境に接続された他の映像機器に前記通信部を介して送信することを特徴としている。
【００１０】
この構成によれば、映像機器は通信部を介して、例えば放送局やダウンロードサーバー、外部記憶媒体から映像機器で用いるデータを受信する。映像機器は、受信したデータのバージョンが自身の記憶部が記憶しているデータのバージョンより新しい場合にはデータの更新を行い、同じ若しくは古い場合には更新を行わない。そして、映像機器は受信したデータを同じネットワーク環境に接続された他の映像機器に送信する。したがって、同じネットワーク環境に接続された複数の映像機器のうちの一つでデータ更新を行うと、次々と他の映像機器でもデータ更新が行われる。データの配信元から複数回のデータ受信を行う必要がなく、更新時間が短縮され、更新作業に手間もかからない。さらに、データの配信元に対するアクセス負荷も低減する。
【００１１】
また、上記構成の映像機器において、前記制御部は、前記他の映像機器を起動させる信号を前記他の映像機器に送信した後、前記データを前記他の映像機器に送信することを特徴としている。
【００１２】
この構成によれば、ネットワーク環境に接続された他の映像機器にデータを送信する際に起動していない他の映像機器に対して、起動させてからデータが送信される。したがって、複数の映像機器におけるデータの更新を的確に実行する作用が高められる。
【００１３】
また、上記構成の映像機器において、前記制御部は、送信する前記データのバージョンより古いバージョンの前記データを記憶する前記他の映像機器を探索した後、発見した古いバージョンの前記データを記憶する前記他の映像機器に前記データを送信することを特徴としている。
【００１４】
この構成によれば、映像機器は、他の映像機器が記憶しているデータのバージョンが自機のデータのバージョンより古い場合にはデータを他の映像機器に送信し、同じ若しくは新しい場合にはデータを他の映像機器に送信しない。したがって、データの更新時間がより一層短縮される。
【発明の効果】
【００１５】
本発明の構成によれば、ネットワーク環境に接続された複数の映像機器で用いるデータの更新を迅速且つ的確に実行することが可能な映像機器を提供することができる。
【図面の簡単な説明】
【００１６】
【図１】本発明の第１実施形態の映像機器の一例であるテレビジョン受信機及びそのネットワーク環境を示す構成図である。
【図２】本発明の第１実施形態のテレビジョン受信機のデータ更新処理を示すフローチャートである。
【図３】本発明の第２実施形態のテレビジョン受信機のデータ更新処理を示すフローチャートである。
【図４】本発明の第３実施形態のテレビジョン受信機のデータ更新処理を示すフローチャートである。
【発明を実施するための形態】
【００１７】
以下、本発明の実施形態を図１〜図４に基づき説明する。なおここでは、本発明の映像機器の一例としてテレビジョン受信機を掲げてその実施形態を説明する。
【００１８】
＜第１実施形態＞
最初に、本発明の第１実施形態のテレビジョン受信機について、図１を用いてその構成を説明する。図１はテレビジョン受信機及びそのネットワーク環境を示す構成図である。
【００１９】
テレビジョン受信機１は、図１に示すようにモニタ２、スピーカ３、制御部４、記憶部５及び通信部６を備える。テレビジョン受信機１はユーザーの放送視聴を実現するために、放送局２００から発信された放送信号から映像及び音声を再生する。
【００２０】
モニタ２は例えば放送局２００から発信された放送信号のうち映像として再生された信号を表示する。音声信号はスピーカ３が再生する。
【００２１】
制御部４は不図示の演算部やその他の電子部品で構成され、記憶部５等に記憶、入力されたプログラム、データに基づきテレビジョン受信機１の各構成要素の動作を制御し、テレビジョン放送の視聴のための映像及び音声の再生処理を実現する。
【００２２】
通信部６にはアンテナ１０１が電気的に接続される。通信部６はアンテナ１０１を介して放送信号を受信する。なお、放送信号には放送視聴に係る信号のほか、テレビジョン受信機１で用いる機器のモード設定やファームウェア、番組情報、番組ロゴなどに係るデータも含まれる。これらのデータは記憶部５で記憶される。また、それらデータは放送局２００のほか、ダウンロードサーバーや外部記憶媒体（ＵＳＢメモリ等）から取得しても良い。
【００２３】
ここで、図１に示したネットワーク１１０は所謂ＬＡＮ（Local Area Network）であって、ダウンロードサーバーにはネットワーク（ＬＡＮ）１１０、不図示のルータ及びインターネットを介してアクセスすることができる。ＵＳＢメモリ等の外部記憶媒体については、テレビジョン受信機１が外部記憶媒体を電気的に接続するためのインターフェースを備えることが好ましい。
【００２４】
通信部６にはネットワークケーブル１０２が電気的に接続される。テレビジョン受信機１は通信部６及びネットワークケーブル１０２を介してネットワーク１１０に電気的に接続される。なお、ネットワーク１１０への接続方法としてはネットワークケーブル１０２を用いた有線接続のほか、無線接続や電力線を用いた低周波電力線通信による接続であっても良い。
【００２５】
ネットワーク１１０にはテレビジョン受信機１のほか、他の映像機器１１１、１１２が通信可能に電気的に接続される。他の映像機器１１１、１１２はテレビジョン受信機１で用いる機器のモード設定やファームウェア、番組情報、番組ロゴなどに係るデータを共用することができ、それらデータの更新に係る機能もテレビジョン受信機１と同様に有する。そして、テレビジョン受信機１や他の映像機器１１１、１１２はネットワーク１１０を介して相互で用いるデータの送信及び受信が可能である。なおここでは、ネットワーク１１０にテレビジョン受信機１、他の映像機器１１１、１１２の３台の映像機器が接続されていることとしたが、この構成は一例であって、４台以上の映像機器が接続されていても良い。
【００２６】
そして、制御部４は、記憶部５が記憶する機器のモード設定やファームウェア、番組情報、番組ロゴなどに係るデータの更新を行うことが可能である。このデータは放送局２００やダウンロードサーバー、外部記憶媒体などといった外部機器から取得する。
【００２７】
制御部４は記憶部５が記憶するデータに対して、通信部６を介して外部機器から受信したデータのバージョンが新しい場合には記憶部５のデータの更新を行う。一方、制御部４は記憶部５が記憶するデータに対して、外部機器から受信したデータのバージョンが同じ若しくは古い場合には記憶部５のデータの更新を行わない。そして、制御部４は外部機器から受信したデータを、テレビジョン受信機１を含む複数の映像機器が存在するネットワーク１１０の環境に接続された他の映像機器１１１、１１２に通信部６を介して送信する。
【００２８】
このようなテレビジョン受信機１におけるデータ更新処理について、図２に示すフローに沿って説明する。図２はテレビジョン受信機１のデータ更新処理を示すフローチャートである。
【００２９】
テレビジョン受信機１は放送局２００やダウンロードサーバー、外部記憶媒体などといった外部機器から、テレビジョン受信機１で用いる機器のモード設定やファームウェア、番組情報、番組ロゴなどに係るデータを通信部６を介して受信することがある（図２のスタート）。
【００３０】
データを放送局２００から受信する場合、放送局２００が例えば定期的に、或いは必要に応じて提供するデータを受信する。データをダウンロードサーバーから受信する場合、テレビジョン受信機１が自ら例えば定期的にダウンロードサーバーにアクセスしてデータを受信する。データを外部記憶媒体から受信する場合、外部記憶媒体がテレビジョン受信機１のインターフェースに接続されたときに外部記憶媒体からデータを受信する。
【００３１】
続いて、制御部４は記憶部５が記憶するデータに対して、受信したデータのバージョンが新しいか否かを判別する（ステップ＃１０１）。受信したデータのバージョンが新しい場合（ステップ＃１０１のＹｅｓ）、制御部４は記憶部５が記憶するデータの更新を行う（ステップ＃１０２）。一方、受信したデータのバージョンが同じ若しくは古い場合（ステップ＃１０１のＮｏ）、制御部４はテレビジョン受信機１のデータ更新処理を終了する（図２のエンド）。
【００３２】
ステップ＃１０２にてデータの更新を行なった場合、制御部４はネットワーク１１０に接続する他の映像機器を探索する（ステップ＃１０３）。そして、制御部４は他の映像機器を発見したか否かを判別する（ステップ＃１０４）。
【００３３】
ここで、例えば他の映像機器１１１、１１２が電源ＯＦＦの場合などの理由により、ネットワーク１１０に対する探索で他の映像機器１１１、１１２が発見できないことがある（ステップ＃１０４のＮｏ）。他の映像機器が発見できなかった場合、制御部４はテレビジョン受信機１のデータ更新処理を終了する（図２のエンド）。
【００３４】
一方、例えば他の映像機器１１１を発見した場合（ステップ＃１０４のＹｅｓ）、制御部４は他の映像機器１１１のデータバージョンが自機の記憶部５が記憶するデータバージョンより古いか否かを判別する（ステップ＃１０５）。他の映像機器１１１のデータバージョンのほうが古い場合（ステップ＃１０５のＹｅｓ）、制御部４は他の映像機器１１１に対して外部機器から受信したデータを送信する（ステップ＃１０６）。他の映像機器１１１ではテレビジョン受信機１から受信したデータにより更新が行われる。
【００３５】
他の映像機器１１１に対して外部機器から受信したデータを送信した（ステップ＃１０６）後、または他の映像機器１１１のデータバージョンが自機の記憶部５が記憶するデータバージョンに対して同じ若しくは新しい場合（ステップ＃１０５のＮｏ）、ステップ＃１０３に戻り、制御部４はネットワーク１１０に接続する他の映像機器を探索する。そして、制御部４は他の映像機器を発見したか否かを判別する（ステップ＃１０４）。
【００３６】
例えば他の映像機器１１２を発見した場合（ステップ＃１０４のＹｅｓ）、同様にステップ＃１０５〜ステップ＃１０６を繰り返す。
【００３７】
ステップ＃１０４で他の映像機器が発見できなかった場合（ステップ＃１０４のＮｏ）、制御部４はテレビジョン受信機１のデータ更新処理を終了する（図２のエンド）。
【００３８】
他の映像機器１１１、１１２はデータ更新に関してテレビジョン受信機１と同様の機能を有するので、引き続いて他の映像機器１１１、１１２でも図２に示すフローに沿ったデータ更新処理が行われる。したがって、例えば上記説明のステップ＃１０３及びステップ＃１０４においてテレビジョン受信機１が他の映像機器１１１のみしか発見できなかった場合、他の映像機器１１１が他の映像機器１１２を発見してデータ更新が引き継がれることもある。
【００３９】
上記のように、テレビジョン受信機１は制御部４が、記憶部５が記憶するデータに対して、通信部６を介して外部機器から受信したデータのバージョンが新しい場合には記憶部５のデータの更新を行い、受信したデータのバージョンが同じ若しくは古い場合には記憶部５のデータの更新を行わない。さらに、制御部４は外部機器から受信したデータをネットワーク１１０に接続された他の映像機器１１１、１１２に通信部６を介して送信する。これにより、同じネットワーク環境に接続された複数の映像機器のうちの一つでデータ更新を行うと、次々と他の映像機器でもデータ更新が行われる。したがって、データの配信元である放送局２００やダウンロードサーバー、外部記憶媒体などといった外部機器から複数回のデータ受信を行う必要がない。その結果、更新時間を短縮することができ、更新作業に手間が掛からないようにすることが可能である。さらに、データの配信元に対するアクセス負荷を低減させることもできる。
【００４０】
また、制御部４は、送信するデータのバージョンより古いバージョンのデータを記憶する他の映像機器を探索した後、発見した古いバージョンのデータを記憶する他の映像機器にデータを送信する。これにより、テレビジョン受信機１は、他の映像機器が記憶しているデータのバージョンが自機のデータのバージョンより古い場合にはデータを他の映像機器に送信し、同じ若しくは新しい場合にはデータを他の映像機器に送信しないようにすることができる。したがって、データの更新時間をより一層短縮することが可能である。
【００４１】
＜第２実施形態＞
次に、本発明の第２実施形態のテレビジョン受信機について、図３を用いて説明する。図３はテレビジョン受信機のデータ更新処理を示すフローチャートである。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００４２】
すなわち、図３を用いた説明に際し、ステップ＃２０１〜ステップ＃２０２及びステップ＃２０４〜ステップ＃２０７の処理は、前記第１実施形態で図２を用いて説明したステップ＃１０１〜ステップ＃１０２及びステップ＃１０３〜ステップ＃１０６の処理と同じであるので、ここでは説明を省略する。
【００４３】
第２実施形態のテレビジョン受信機１では、図３に示すように制御部４が自機の記憶部５が記憶するデータの更新を行った（ステップ＃２０２）後、ネットワーク１１０に接続する他の映像機器に対してそれら他の映像機器を起動させる信号を送信する（ステップ＃２０３）。
【００４４】
このとき、テレビジョン受信機１はネットワーク１１０を介してＷＯＬ（Wake on LAN）信号を送信する。ネットワーク１１０が電力線で構成される場合、テレビジョン受信機１は電力線を介して起動信号を送信する。
【００４５】
その後、制御部４はネットワーク１１０に接続する他の映像機器を探索する（ステップ＃２０４）。
【００４６】
この構成によれば、ネットワーク１１０に接続された他の映像機器１１１、１１２にデータを送信する際に起動していない他の映像機器に対して、起動させてからデータを送信することができる。したがって、複数の映像機器におけるデータの更新を的確に実行する作用を高めることが可能である。
【００４７】
＜第３実施形態＞
次に、本発明の第３実施形態のテレビジョン受信機について、図４を用いて説明する。図４はテレビジョン受信機のデータ更新処理を示すフローチャートである。なお、この実施形態の基本的な構成は先に説明した第１実施形態及び第２実施形態と同じであるので、これらの実施形態と共通する構成要素には前と同じ符号を付し、図面の記載及びその説明を省略するものとする。
【００４８】
すなわち、図４を用いた説明に際し、ステップ＃３０１〜ステップ＃３０５の処理は、前記第２実施形態で図３を用いて説明したステップ＃２０１〜ステップ＃２０５の処理と同じであるので、ここでは説明を省略する。
【００４９】
第３実施形態のテレビジョン受信機１では、図４に示すように制御部４がネットワーク１１０に接続する他の映像機器、例えば他の映像機器１１１を発見した場合（ステップ＃３０５のＹｅｓ）、他の映像機器１１１が記憶するデータのバージョンを自機が保存しているか否かを判別する（ステップ＃３０６）。
【００５０】
他の映像機器１１１が記憶するデータのバージョンを自機が保存済である場合（ステップ＃３０６のＹｅｓ）、制御部４は自機が保存済である他の映像機器１１１のデータのバージョンと自機の記憶部５が記憶する外部機器から受信したデータのバージョンとを比較する（ステップ＃３０７）。一方、他の映像機器１１１が記憶するデータのバージョンを自機が保存していない場合（ステップ＃３０６のＮｏ）、制御部４は他の映像機器１１１に接続して他の映像機器１１１が記憶するデータのバージョンと自機の記憶部５が記憶する外部機器から受信したデータのバージョンとを比較する（ステップ＃３０８）。
【００５１】
そして、制御部４は他の映像機器１１１のデータバージョンが自機の記憶部５が記憶するデータバージョンより古いか否かを判定する（ステップ＃３０９）。他の映像機器１１１のデータバージョンのほうが古い場合（ステップ＃３０９のＹｅｓ）、制御部４は他の映像機器１１１に対して外部機器から受信したデータを送信する（ステップ＃３１０）。他の映像機器１１１ではテレビジョン受信機１から受信したデータにより更新が行われる。
【００５２】
続いて、制御部４は他の映像機器１１１のデータバージョンを自機の記憶部５に保存する（ステップ＃３１１）。さらに、制御部４は自機の記憶部５が記憶するデータバージョンを他の映像機器１１１に対して送信する（ステップ＃３１２）。他の映像機器１１１ではテレビジョン受信機１から受信したテレビジョン受信機１のデータバージョンが保存される。
【００５３】
他の映像機器１１１に対して自機の記憶部５が記憶するデータバージョンを送信した（ステップ＃３１２）後、または他の映像機器１１１のデータバージョンが自機の記憶部５が記憶するデータバージョンに対して同じ若しくは新しい場合（ステップ＃３０９のＮｏ）、ステップ＃３０４に戻り、制御部４はネットワーク１１０に接続する他の映像機器を探索する。そして、制御部４は他の映像機器を発見したか否かを判別する（ステップ＃３０５）。
【００５４】
例えば他の映像機器１１２を発見した場合（ステップ＃３０５のＹｅｓ）、同様にステップ＃３０６〜ステップ＃３１２を繰り返す。
【００５５】
ステップ＃３０５で他の映像機器が発見できなかった場合（ステップ＃３０５のＮｏ）、制御部４はテレビジョン受信機１のデータ更新処理を終了する（図４のエンド）。
【００５６】
以上、本発明の実施形態につき説明したが、本発明の範囲はこれに限定されるものではなく、発明の主旨を逸脱しない範囲で種々の変更を加えて実施することができる。
【産業上の利用可能性】
【００５７】
本発明は映像機器において利用可能である。
【符号の説明】
【００５８】
１    テレビジョン受信機（映像機器）
４    制御部
５    記憶部
６    通信部
１１０    ネットワーク
１１１、１１２    他の映像機器
２００    放送局（外部機器）
【図１】
2015023385.tif 000003
【図２】
2015023385.tif 000004
【図３】
2015023385.tif 000005
【図４】
2015023385.tif 000006